(57)【要約】【課題】光ピックアップの可動部を小型化、軽量化しながらも固有共振周波数の影響を低減し、光ディスク追従性を高める。【解決手段】光ピックアップ１０４は、可動部１０と、固定部１２と、可動部１０と固定部１２とを連結する複数のサスペンションワイヤ１４とを備えている。フォーカシングコイル２０と、トラッキングコイル３０と、チルトコイル４０とを含んで構成されている。チルトコイル４０を線材を巻回して構成したコイルとし、かつ、フォーカシングコイル２０とトラッキングコイル３０とをプリントコイル７０としてハイブリッド構造とし、レンズホルダ１６に取着して可動部１０を構成する。【選択図】        図３
2005346863.tif 000002
【特許請求の範囲】
【請求項１】
対物レンズを有する可動部と、
前記可動部に対して前記対物レンズの光軸方向であるフォーカシング方向と直交するタンジェンシャル方向に間隔をおいて設けられた固定部と、
前記フォーカシング方向および前記タンジェンシャル方向に直交するトラッキング方向における前記可動部の両側と前記固定部をそれぞれ連結し前記可動部を前記固定部に対して前記フォーカシング方向およびトラッキング方向に移動可能に支持するとともに前記タンジェンシャル方向に延在する仮想軸の周方向であるチルト方向に傾動可能に支持するサスペンションワイヤとを備え、
前記可動部は、前記対物レンズと、前記対物レンズを保持するレンズホルダと、前記可動部の前記フォーカシング方向への移動用のフォーカシングコイルと、前記可動部の前記トラッキング方向への移動用のトラッキングコイルと、前記可動部の前記チルト方向への傾動用のチルトコイルとを含んで構成された光ピックアップであって、
前記レンズホルダが前記対物レンズを保持する箇所の前記トラッキング方向における両側に前記サスペンションワイヤが連結される外壁がそれぞれ設けられ、
前記チルトコイルまたは前記フォーカシングコイルのうちの一方のコイルは、導電性を有する線材が巻回されて構成され少なくとも２つ設けられ、
前記一方のコイルは、前記線材が巻回される仮想軸を前記タンジェンシャル方向に平行させて前記対物レンズの中央を挟んだ箇所で両側の前記外壁箇所に取着され、
前記チルトコイルまたは前記フォーカシングコイルのうちの他方のコイルと前記トラッキングコイルは、絶縁基板に、それぞれ導電材がコイル状に形成された前記他方のコイル用のコイル部および前記トラッキングコイル用のコイル部とからなるプリントコイルとして構成され、
前記プリントコイルは２枚設けられ、前記タンジェンシャル方向における前記レンズホルダの両端部に取着され前記両側の外壁を連結している、
ことを特徴とする光ピックアップ。
【請求項２】
前記一方のコイルは４つ設けられ、前記一方のコイルは、前記両側の外壁の前記タンジェンシャル方向における両端部にそれぞれ取着されていることを特徴とする請求項１記載の光ピックアップ。
【請求項３】
前記他方のコイル用のコイル部は、前記プリントコイルのトラッキング方向における両側の箇所にそれぞれ設けられ、前記トラッキングコイル用のコイル部はそれら両側の前記他方のコイル用のコイル部の間に設けられていることを特徴とする請求項１記載の光ピックアップ。
【請求項４】
前記レンズホルダの両側の外壁の前記トラッキング方向における外方にプリント基板が取着され、前記チルトコイルと前記フォーカシングコイルと前記トラッキングコイルへの駆動信号は、前記サスペンションワイヤから前記プリント基板の導電部を経てそれぞれ前記チルトコイルと前記フォーカシングコイルと前記トラッキングコイルへ供給されることを特徴とする請求項１記載の光ピックアップ。
【請求項５】
前記固定部は前記トラッキング方向に移動するマウント部材上に取着され、前記マウント部材には前記各プリントコイルに臨ませてそれぞれマグネットが立設されていることを特徴とする請求項１記載の光ピックアップ。
【請求項６】
前記レンズホルダは、前記対物レンズを保持する保持壁を有し、前記保持壁と前記外壁の間に、前記保持壁に連結されると共に前記外壁に連結された内壁が前記外壁と平行して設けられ、前記一方のコイルは前記内壁と外壁の間に取着されそれら内壁と外壁を一体的に連結していることを特徴とする請求項１記載の光ピックアップ。
【請求項７】
前記レンズホルダは、前記対物レンズを保持する保持壁を有し、前記保持壁部の前記トラッキング方向における両側部からそれぞれ屈曲しタンジェンシャル方向およびフォーカシング方向を通る面に平行して延在する内壁が設けられ、前記内壁の前記保持壁とは反対側の端部から底壁が保持壁と離れる方向に突設され、前記外壁は、前記底壁の端部から屈曲され前記内壁と平行して設けられ、前記底壁の前記タンジェンシャル方向における端部寄りの箇所に前記トラッキング方向に延在して前記内壁と外壁とを連結するリブが設けられ、前記一方のコイルは、前記内壁と外壁と底壁とリブとで形成される溝に取着され前記内壁と外壁と底壁とを一体的に連結していることを特徴とする請求項１記載の光ピックアップ。
【請求項８】
光ディスクを保持して回転駆動する駆動手段と、
前記駆動手段によって回転駆動する光ディスクに対し記録および／または再生用の光ビームを照射し、前記照射された光ビームの前記光記録媒体での反射光による反射光ビームを検出する光ピックアップとを有する光ディスク装置であって、
前記光ピックアップは、
対物レンズを有する可動部と、
前記可動部に対して前記対物レンズの光軸方向であるフォーカシング方向と直交するタンジェンシャル方向に間隔をおいて設けられた固定部と、
前記フォーカシング方向および前記タンジェンシャル方向に直交するトラッキング方向における前記可動部の両側と前記固定部をそれぞれ連結し前記可動部を前記固定部に対して前記フォーカシング方向およびトラッキング方向に移動可能に支持するとともに前記タンジェンシャル方向に延在する仮想軸の周方向であるチルト方向に傾動可能に支持するサスペンションワイヤとを備え、
前記可動部は、前記対物レンズと、前記対物レンズを保持するレンズホルダと、前記可動部の前記フォーカシング方向への移動用のフォーカシングコイルと、前記可動部の前記トラッキング方向への移動用のトラッキングコイルと、前記可動部の前記チルト方向への傾動用のチルトコイルとを含んで構成され、
前記レンズホルダが前記対物レンズを保持する箇所の前記トラッキング方向における両側に前記サスペンションワイヤが連結される外壁がそれぞれ設けられ、
前記チルトコイルまたは前記フォーカシングコイルのうちの一方のコイルは、導電性を有する線材が巻回されて構成され少なくとも２つ設けられ、
前記一方のコイルは、前記線材が巻回される仮想軸を前記タンジェンシャル方向に平行させて前記対物レンズの中央を挟んだ箇所で両側の前記外壁箇所に取着され、
前記チルトコイルまたは前記フォーカシングコイルのうちの他方のコイルと前記トラッキングコイルは、絶縁基板に、それぞれ導電材がコイル状に形成された前記他方のコイル用のコイル部および前記トラッキングコイル用のコイル部とからなるプリントコイルとして構成され、
前記プリントコイルは２枚設けられ、前記タンジェンシャル方向における前記レンズホルダの両端部に取着され前記両側の外壁を連結している、
ことを特徴とする光ディスク装置。
【請求項９】
前記外壁は、前記タンジェンシャル方向およびフォーカシング方向を通る面に平行して延在し、前記プリントコイルは、前記トラッキング方向およびフォーカシング方向を通る面に平行して延在していることを特徴とする請求項８記載の光ディスク装置。
【請求項１０】
前記一方のコイルは４つ設けられ、前記一方のコイルは、前記両側の外壁の前記タンジェンシャル方向における両端部にそれぞれ取着されていることを特徴とする請求項８記載の光ディスク装置。
【請求項１１】
前記他方のコイル用のコイル部は、前記プリントコイルのトラッキング方向における両側の箇所にそれぞれ設けられ、前記トラッキングコイル用のコイル部はそれら両側の前記他方のコイル用のコイル部の間に設けられていることを特徴とする請求項８記載の光ディスク装置。
【請求項１２】
前記レンズホルダの両側の外壁の前記トラッキング方向における外方にプリント基板が取着され、前記チルトコイルと前記フォーカシングコイルと前記トラッキングコイルへの駆動信号は、前記サスペンションワイヤから前記プリント基板の導電部を経てそれぞれ前記チルトコイルと前記フォーカシングコイルと前記トラッキングコイルへ供給されることを特徴とする請求項８記載の光ディスク装置。
【請求項１３】
前記固定部は前記トラッキング方向に移動するマウント部材上に取着され、前記マウント部材には前記各プリントコイルに臨ませてそれぞれマグネットが立設されていることを特徴とする請求項８記載の光ディスク装置。
【請求項１４】
前記レンズホルダは、前記対物レンズを保持する保持壁を有し、前記保持壁と前記外壁の間に、前記保持壁に連結されると共に前記外壁に連結された内壁が前記外壁と平行して設けられ、前記一方のコイルは前記内壁と外壁の間に取着されそれら内壁と外壁を一体的に連結していることを特徴とする請求項８記載の光ディスク装置。
【請求項１５】
前記レンズホルダは、前記対物レンズを保持する保持壁を有し、前記保持壁部の前記トラッキング方向における両側部からそれぞれ屈曲しタンジェンシャル方向およびフォーカシング方向を通る面に平行して延在する内壁が設けられ、前記内壁の前記保持壁とは反対側の端部から底壁が保持壁と離れる方向に突設され、前記外壁は、前記底壁の端部から屈曲され前記内壁と平行して設けられ、前記一方のコイルは前記内壁と外壁と底壁で形成される溝に取着され前記内壁と外壁と底壁とを一体的に連結していることを特徴とする請求項８記載の光ディスク装置。
【請求項１６】
前記レンズホルダは、前記対物レンズを保持する保持壁を有し、前記保持壁部の前記トラッキング方向における両側部からそれぞれ屈曲しタンジェンシャル方向およびフォーカシング方向を通る面に平行して延在する内壁が設けられ、前記内壁の前記保持壁とは反対側の端部から底壁が保持壁と離れる方向に突設され、前記外壁は、前記底壁の端部から屈曲され前記内壁と平行して設けられ、前記底壁の前記タンジェンシャル方向における端部寄りの箇所に前記トラッキング方向に延在して前記内壁と外壁とを連結するリブが設けられ、前記一方のコイルは、前記内壁と外壁と底壁とリブとで形成される溝に取着され前記内壁と外壁と底壁とを一体的に連結していることを特徴とする請求項８記載の光ディスク装置。
【発明の詳細な説明】
【技術分野】
【０００１】
本発明は、光ディスクに信号の記録や再生を行う光ディスク装置およびこのような光ディスク装置に用いられる光ピックアップに関する。
【背景技術】
【０００２】
高密度記録ディスクおよびコンパクトディスクの記録および／または再生を行う光ディスク装置の光ピックアップとして、対物レンズが装備されているレンズホルダに、３方向の駆動に対応するためのコイル、すなわち、フォーカシングコイル、トラッキングコイル、チルトコイルを装着した可動部を有するものが提案されている（例えば特許文献１〜３参照）。
そして、光ディスク装置および光ピックアップは小型化、軽量化の傾向にあり、如何に小型化し軽量化するかが課題となっている。
このような光ピックアップでは、各コイルに、それぞれ駆動信号が供給されることで、可動部がフォーカシング（上下）方向、トラッキング（左右）方向、チルト（θ）方向に駆動されるように構成されている。
また、光ピックアップの可動部は、上記各駆動方向に対して、それぞれの固有共振周波数を有し、これら固有共振周波数は、前記レンズホルダとレンズホルダに設けられた各コイル等とを含む可動部の構造や部品材料等によって決まる。
この固有共振周波数が、上記コイルの駆動信号を制御するために要求されるサーボ帯域に近いと、対物レンズ駆動に有害な影響を与えサーボ制御の妨げになることが知られている。したがって、一般には固有共振周波数をサーボ帯域の５倍以上の高い値に設定することが理想とされている。
【特許文献１】特開２００１−９３１７７号公報
【特許文献２】特開２００２−２４５６４６号公報
【特許文献３】特開２００１−２９７４６０号公報
【発明の開示】
【発明が解決しようとする課題】
【０００３】
ところで、近年、光ディスクの記録速度や再生速度の高速化が要求されることに伴ない前記サーボ帯域の広帯域化が要求されていることから、小型化、軽量化を図りつつ可動部の固有共振周波数を如何に高く設定するかが重要な問題となってきている。
本発明はこのような事情に鑑みなされたもので、その目的は光ピックアップの可動部を小型化、軽量化しながらも固有共振周波数の影響を低減し、光ディスク追従性を高めた光ピックアップおよび光ディスク装置を提供することにある。
【課題を解決するための手段】
【０００４】
上記目的を達成するために本発明は、対物レンズを有する可動部と、前記可動部に対して前記対物レンズの光軸方向であるフォーカシング方向と直交するタンジェンシャル方向に間隔をおいて設けられた固定部と、前記フォーカシング方向および前記タンジェンシャル方向に直交するトラッキング方向における前記可動部の両側と前記固定部をそれぞれ連結し前記可動部を前記固定部に対して前記フォーカシング方向およびトラッキング方向に移動可能に支持するとともに前記タンジェンシャル方向に延在する仮想軸の周方向であるチルト方向に傾動可能に支持するサスペンションワイヤとを備え、前記可動部は、前記対物レンズと、前記対物レンズを保持するレンズホルダと、前記可動部の前記フォーカシング方向への移動用のフォーカシングコイルと、前記可動部の前記トラッキング方向への移動用のトラッキングコイルと、前記可動部の前記チルト方向への傾動用のチルトコイルとを含んで構成された光ピックアップであって、前記レンズホルダが前記対物レンズを保持する箇所の前記トラッキング方向における両側に前記サスペンションワイヤが連結される外壁がそれぞれ設けられ、前記チルトコイルまたは前記フォーカシングコイルのうちの一方のコイルは、導電性を有する線材が巻回されて構成され少なくとも２つ設けられ、前記一方のコイルは、前記線材が巻回される仮想軸を前記タンジェンシャル方向に平行させて前記対物レンズの中央を挟んだ箇所で両側の前記外壁箇所に取着され、前記チルトコイルまたは前記フォーカシングコイルのうちの他方のコイルと前記トラッキングコイルは、絶縁基板に、それぞれ導電材がコイル状に形成された前記他方のコイル用のコイル部および前記トラッキングコイル用のコイル部とからなるプリントコイルとして構成され、前記プリントコイルは２枚設けられ、前記タンジェンシャル方向における前記レンズホルダの両端部に取着され前記両側の外壁を連結していることを特徴とする。
また本発明は、光ディスクを保持して回転駆動する駆動手段と、前記駆動手段によって回転駆動する光ディスクに対し記録および／または再生用の光ビームを照射し、前記照射された光ビームの前記光記録媒体での反射光による反射光ビームを検出する光ピックアップとを有する光ディスク装置であって、前記光ピックアップは、対物レンズを有する可動部と、前記可動部に対して前記対物レンズの光軸方向であるフォーカシング方向と直交するタンジェンシャル方向に間隔をおいて設けられた固定部と、前記フォーカシング方向および前記タンジェンシャル方向に直交するトラッキング方向における前記可動部の両側と前記固定部をそれぞれ連結し前記可動部を前記固定部に対して前記フォーカシング方向およびトラッキング方向に移動可能に支持するとともに前記タンジェンシャル方向に延在する仮想軸の周方向であるチルト方向に傾動可能に支持するサスペンションワイヤとを備え、前記可動部は、前記対物レンズと、前記対物レンズを保持するレンズホルダと、前記可動部の前記フォーカシング方向への移動用のフォーカシングコイルと、前記可動部の前記トラッキング方向への移動用のトラッキングコイルと、前記可動部の前記チルト方向への傾動用のチルトコイルとを含んで構成され、前記レンズホルダが前記対物レンズを保持する箇所の前記トラッキング方向における両側に前記サスペンションワイヤが連結される外壁がそれぞれ設けられ、前記チルトコイルまたは前記フォーカシングコイルのうちの一方のコイルは、導電性を有する線材が巻回されて構成され少なくとも２つ設けられ、前記一方のコイルは、前記線材が巻回される仮想軸を前記タンジェンシャル方向に平行させて前記対物レンズの中央を挟んだ箇所で両側の前記外壁箇所に取着され、前記チルトコイルまたは前記フォーカシングコイルのうちの他方のコイルと前記トラッキングコイルは、絶縁基板に、それぞれ導電材がコイル状に形成された前記他方のコイル用のコイル部および前記トラッキングコイル用のコイル部とからなるプリントコイルとして構成され、前記プリントコイルは２枚設けられ、前記タンジェンシャル方向における前記レンズホルダの両端部に取着され前記両側の外壁を連結していることを特徴とする。
【発明の効果】
【０００５】
本発明によれば、チルトコイルまたはフォーカシングコイルのうちの一方のコイルを線材を巻回して構成したコイルとし、かつ、チルトコイルまたはフォーカシングコイルのうちの他方のコイルとトラッキングコイルとをプリントコイルとしてハイブリッド構造とした。
そのため、プリントコイルを２層で構成することができ、プリントコイルの軽量化、ひいては可動部の軽量化を図れる。
また、プリントコイルにより、レンズホルダの両側の外壁に取着した線材を巻回して構成したコイルとレンズホルダを連結することにより、可動部の剛性を高めることができる。
これにより、可動部の軽量化を図りながら固有共振周波数を高く設定でき、光ピックアップのサーボ帯域の広帯域化を実現する上で有利となり、光ディスクの記録速度や再生速度の高速化を実現できる。
【発明を実施するための最良の形態】
【０００６】
本発明は、光ピックアップの可動部を小型化、軽量化しながらも固有共振周波数の影響を低減し、光ディスク追従性を高めるという目的を、チルトコイルまたはフォーカシングコイルのうちの一方のコイルを線材を巻回して構成したコイルとし、かつ、チルトコイルまたはフォーカシングコイルのうちの他方のコイルとトラッキングコイルとをプリントコイルとしてハイブリッド構造とすることで達成した。
【実施例１】
【０００７】
以下、本発明による光ピックアップ及び記録再生装置の実施の形態を図面に基づいて詳細に説明する。
図１は、本発明の実施例１における光ピックアップを組み込んだ光ディスク装置の構成を示すブロック図である。
【０００８】
図１において、光ディスク装置１０１は、ＣＤ−ＲやＤＶＤ±Ｒ、ＤＶＤ−ＲＡＭなどの光記録媒体としての光ディスク１０２を回転駆動する駆動手段としてのスピンドルモータ１０３と、光ピックアップ１０４と、光ピックアップ１０４をその半径方向に移動させる駆動手段としての送りモータ１０５とを備えている。ここで、スピンドルモータ１０３は、システムコントローラ１０７及びサーボ制御部１０９により所定の回転数で駆動制御される構成になっている。
【０００９】
信号変復調部及びＥＣＣブロック１０８は、信号処理部１２０から出力される信号の変調、復調及びＥＣＣ（エラー訂正符号）の付加を行う。光ピックアップ１０４は、システムコントローラ１０７及びサーボ制御部１０９からの指令に従って回転する光ディスク１０２の記録面に対して光ビームを照射する。このような光照射により光ディスク１０２に対する光信号の記録、再生が行われる。
また、光ピックアップ１０４は、光ディスク１０２の記録面からの反射光ビームに基づいて、後述するような各種の光ビームを検出し、各光ビームに対応する信号を信号処理部１２０に供給できるように構成されている。
【００１０】
前記信号処理部１２０は、各光ビームに対応する検出信号に基づいてサーボ制御用信号、すなわち、フォーカシングエラー信号、トラッキングエラー信号、ＲＦ信号、記録時における光ディスクの回転制御を行うために必要なＡＴＩＰ信号などを生成できるように構成されている。また、再生対象とされる記録媒体の種類に応じて、サーボ制御部１０９、信号変調及びＥＣＣブロック１０８等により、これらの信号に基づく復調及び誤り訂正処理等の所定の処理が行われる。
ここで、信号変調及びＥＣＣブロック１０８により復調された記録信号が、例えばコンピュータのデータストレージ用であれば、インタフェース１１１を介して外部コンピュータ１３０等に送出される。これにより、外部コンピュータ１３０等は光ディスク１０２の記録面に記録された信号を再生信号として受け取ることができるように構成されている。
【００１１】
また、信号変調及びＥＣＣブロック１０８により復調された記録信号がオーディオ・ビジュアル用であれば、Ｄ／Ａ、Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝送される。
光ピックアップ１０４には送りモータ１０５が接続され、送りモータ１０５の回転によって光ピックアップ１０４が光ディスク１０２上の所定の記録トラックまで移動されるように構成されている。スピンドルモータ１０３の制御と、送りモータ１０５の制御と、光ピックアップ１０４の対物レンズを保持するアクチュエータのフォーカシング方向及びトラッキング方向の制御並びにチルト方向への傾動制御は、それぞれサーボ制御部１０９により行われる。
すなわち、サーボ制御部１０９は、ＡＴＩＰ信号に基づいてスピンドルモータ１０３の制御を行ない、フォーカシングエラー信号およびトラッキングエラー信号に基づいてアクチュエータの制御を行う。
また、サーボ制御部１０９は、信号処理部１２０から入力されるフォーカシングエラー信号、トラッキングエラー信号、再生信号（ＲＦ信号）などに基づいて、後述するフォーカシングコイル２０（図３参照）、トラッキングコイル３０（図３参照）、チルトコイル４０（図３参照）に供給するための駆動信号（電流、電圧）をそれぞれ生成するように構成されている。
また、レーザ制御部１２１は、光ピックアップ１０４におけるレーザ光源を制御するものである。
【００１２】
なお、ここでフォーカシング方向とは、光ピックアップ１０４の対物レンズ７（図２参照）の光軸方向をいう。また、タンジェンシャル方向とは、前記フォーカシング方向と直交する方向であって光ディスク１０２の円周のタンジェンシャル方向（接線方向）と平行する方向をいう。また、トラッキング方向とは、前記フォーカシング方向およびタンジェンシャル方向と直交する方向をいう。また、チルト方向とは、タンジェンシャル方向に延在する仮想軸の周方向をいう。
【００１３】
次に光ピックアップ１０４について説明する。
図２は実施例１における光ピックアップ１０４の構成を示す斜視図、図３は光ピックアップ１０４の構成を示す分解斜視図、図４は光ピックアップ１０４の平面図、図５は図４のＡ矢視図、図６は図４のＢ矢視図、図７は図４のＣ矢視図、図８は可動部および固定部の斜視図、図９、図１０は可動部の斜視図、図１１（Ａ）はレンズホルダの平面図、（Ｂ）は（Ａ）のＢ矢視図、（Ｃ）は（Ｂ）のＣ矢視図、図１２（Ａ）、（Ｂ）はレンズホルダの斜視図、図１３はレンズホルダとチルトコイルの分解斜視図、図１４はレンズホルダにチルトコイルを取着した状態を示す組み立て図である。
また、図２〜図１４において矢印Ｘはトラッキング方向、矢印Ｙはタンジェンシャル方向、矢印Ｚはフォーカシング方向、矢印Ｔはチルト方向を示す。
【００１４】
図２、図３に示すように、光ピックアップ１０４は、光ディスク装置１０１の筐体内で光ディスク１０２の半径方向に移動可能に設けられたマウント部材６０上に設けられている。
光ピックアップ１０４は、可動部１０と、固定部１２と、可動部１０と固定部１２とを連結する複数のサスペンションワイヤ１４とを備えている。
可動部１０は、対物レンズ７と、対物レンズ７を保持するレンズホルダ１６と、ハイブリッド構造をなすフォーカシングコイル２０およびトラッキングコイル３０並びにチルトコイル４０とを含んで構成されている。
【００１５】
固定部１２は、マウント部材６０上に取着された支持ブロック１３で構成され、支持ブロック１３は合成樹脂を用いて型により一体成形されている。
支持ブロック１３は可動部１０に対してタンジェンシャル方向Ｙに間隔をおいて配置されている。支持ブロック１３は、トラッキング方向Ｘに沿った長さと、フォーカシング方向Ｚに沿った高さとを有している。
レンズホルダ１６のトラッキング方向Ｘにおける両側と、支持ブロック１３のトラッキング方向Ｘにおける両側とは、それぞれ３本のサスペンションワイヤ１４で連結されている。
３本のサスペンションワイヤ１４はフォーカシング方向Ｚに間隔をおいて互いに平行に設けられ、支持ブロック１３に対してレンズホルダ１６をフォーカシング方向Ｚとトラッキング方向Ｘとに移動可能に、かつ、チルト方向Ｔに傾動可能に支持している。
これら各サスペンションワイヤ１４は導電性および弾性を有する材質で構成されている。
【００１６】
トラッキング方向Ｘの両側に３本ずつ設けられた合計６本のサスペンションワイヤ１４のうち、支持ブロック１３側の端部は、不図示の配線部材を介して前記サーボ制御部１０９に接続され、サーボ制御部１０９からフォーカシング用の駆動信号とトラッキング用の駆動信号とチルト用の駆動信号とが供給されるように構成されている。
本実施例では、６本のサスペンションワイヤ１４のうち、マウント部材６０側に位置する２本のサスペンションワイヤ１４にはフォーカシング用の駆動信号が供給される。６本のサスペンションワイヤ１４のうち、マウント部材６０の反対側に位置する２本のサスペンションワイヤ１４にはトラッキング用の駆動信号が供給される。６本のサスペンションワイヤ１４のうち、残りの２本のサスペンションワイヤ１４にはチルト用の駆動信号が供給される。
【００１７】
レンズホルダ１６のフォーカシング方向Ｚにおけるマウント部材６０の箇所には矩形板状のヨークベース５０が設けられている。ヨークベース５０には対物レンズ７の光軸が通る部分に開口（不図示）が設けられている。
ヨークベース５０には、レンズホルダ１６のタンジェンシャル方向Ｙの両側に臨むようにそれぞれヨーク片５００２が立設されている。
また、各ヨーク片５００２がレンズホルダ１６に臨む面には、それぞれマグネット５２が取着されている。
図３に示すように、各マグネット５２は矩形板状に形成され、マグネット５２がレンズホルダ１６に臨む面にはＮ極とＳ極とが交互に位置する田の字状に配置され、かつ、互いに対向するマグネット５２同士はＮ極とＳ極とが向かい合うように配置されている。
【００１８】
図９〜図１２に示すように、レンズホルダ１６は、対物レンズ７を保持する保持壁部１６０２と、保持壁部１６０２のトラッキング方向Ｘにおける両側部からそれぞれタンジェンシャル方向Ｙおよびフォーカシング方向Ｚを通る面に対して平行する方向に突設された内壁１６０４と、この内壁１６０４に連結され内壁１６０４の外側で内壁１６０４に対して平行に設けられた外壁１６０６とを有し、合成樹脂を用いて型により一体成形されている。言い換えると、レンズホルダ１６のトラッキング方向Ｘおける両側に外壁１６０６が位置している。
保持壁１６０２は、矩形枠状に形成されその中央部の開口で対物レンズ７を保持している。
保持壁１６０２と反対側に位置する内壁１６０４の端部と外壁１６０６の端部１６０６とは保持壁１６０２と平行する底壁１６０８によって連結されている。
また、互いに対向する内壁１６０４のタンジェンシャル方向Ｙの両端は、トラッキング方向Ｘに平行して帯状に延在する連結壁１６１０により連結されている。
また、底壁１６０８のタンジェンシャル方向Ｙにおける両端寄りの箇所に、トラッキング方向Ｘに延在して内壁１６０４と外壁１６０６を連結するリブ１６１２が設けられている。
また、各外壁１６０６の外面にはフォーカシング方向Ｚに間隔をおいて２つの取付片１６１４がそれぞれ突設されており、これら合計４つの取付片１６１４を介してレンズホルダ１６と４本のサスペンションワイヤ１４が連結されている。
したがって、タンジェンシャル方向Ｙにおけるレンズホルダ１６の両側部には、保持壁１６０２と、一対の内壁１６０４と、連結壁１６１０により開口１６２０が形成され、また、保持壁１６０２と反対側に位置するレンズホルダ１６の端部には、一対の内壁１６０４と、一対の連結壁１６１０により開口１６２２が形成されている。
【００１９】
チルトコイル４０は、可動部１０のチルト方向Ｔへの傾動用のコイルであり、レンズホルダ１６に取着されている。
図１３、図１４に示すように、本実施例では、チルトコイル４０は、導電性を有する線材がタンジェンシャル方向Ｙと平行する仮想軸の回りに巻回されて構成され、本実施例では４つのチルトコイル４０が設けられ、４つのチルトコイル４０は、電気的には直列に接続されている。本実施例では前記線材として例えば線径が０．０６ｍｍ〜０．０６５ｍｍの銅線を用いている。また、本実施例では、チルトコイル４０は空芯コイルとして構成されている。
各チルトコイル４０は、前記線材が巻回される仮想軸をタンジェンシャル方向Ｙに平行させて、内壁１６０４と外壁１６０６と底壁１６０８とで形成される溝に挿入され、含浸剤（光硬化型接着剤）により前記溝に取着されており、このチルトコイル４０の前記溝への取着により内壁１６０４と外壁１６０６は一体的に連結されている。
本実施例では、内壁１６０４と外壁１６０６と底壁１６０８とリブ１６１２とで形成される溝に挿入されて含浸剤（光硬化型接着剤）により取着されている。言い換えると、チルトコイル４０は、レンズホルダ１６の両側の内壁１６０４と外壁１６０６の間でタンジェンシャル方向Ｙにおける両端部にそれぞれ取着されている。
このチルトコイル４０の内壁１６０４と外壁１６０６との間への取着により、内壁１６０４と外壁１６０６とはあたかも一体的に結合され、剛性が高められる。
本実施例では、リブ１６１２を設けているので、チルトコイル４０を圧縮に対して抵抗する部材として機能させ、リブ１６１２を引っ張りに対して抵抗する部材として機能させることができる。
【００２０】
図８、図９、図１０に示すように、レンズホルダ１６の両側の各外壁１６０６のトラッキング方向Ｘにおける外面にプリント基板８０が接着により取着され、プリント基板８０はフォーカシング方向Ｚおよびタンジェンシャル方向Ｙを通る面に平行して延在している。
プリント基板８０はフレキシブル基板であり、フレキシブルな絶縁基板に導電部が形成されたもので、４つの取付片１６１４に取着された４本のサスペンションワイヤ１４から、フォーカシングコイル２０およびトラッキングコイル３０に前記導電部を介して前記フォーカシング用の駆動信号およびトラッキング用の駆動信号が供給される。
また、４つのチルトコイル４０へは、残り２本のサスペンションワイヤ１４から前記導電部を介して前記チルト用の駆動信号が供給される。
【００２１】
フォーカシングコイル２０はレンズホルダ１６に取着され可動部１０をフォーカシング方向Ｚへ移動させるコイルであり、トラッキングコイル３０はレンズホルダ１６に取着され可動部１０をトラッキング方向Ｙへ移動させるコイルである。
図３、図８に示すように、本実施例では、フォーカシングコイル２０およびトラッキングコイル３０は単一のプリントコイル７０として構成され、このプリントコイル７０は２枚設けられている。
プリントコイル７０は、矩形板状に形成されたリジッドな絶縁基板７２と、絶縁基板７２の長手方向の両側に形成された２つのフォーカシングコイル２０用のコイル部７４と、それら２つのフォーカシングコイル２０用のコイル部７４の間に形成された２つのトラッキングコイル３０用のコイル部７６とから構成され、各コイル部７４、７６は、絶縁基板７２に導電材がコイル状に形成されることで構成されている。
絶縁基板７２は、その長手方向を両側の外壁１６０６間に向けてタンジェンシャル方向Ｙにおけるレンズホルダ１６の両側に取着され、したがって、プリントコイル７０は、フォーカシング方向Ｚおよびトラッキング方向Ｘを通る面に対して平行に延在し、絶縁基板７２のトラッキング方向Ｘにおける両側にフォーカシングコイル２０用のコイル部７４が設けられ、これらコイル部７４の間に２つのトラッキングコイル３０用のコイル部７６がフォーカシング方向Ｚに並べられて形成され、コイル部７４，７６の導電材はタンジェンシャル方向Ｙと平行する仮想軸の回りに巻回されて構成されている。
プリントコイル７０はそれぞれタンジェンシャル方向Ｙにおけるレンズホルダ１６の両端に接着剤により取着され、各プリントコイル７０の表面が各マグネット５２に臨むように配設されている。プリントコイル７０がレンズホルダ１６に取着されることにより、レンズホルダ１６の両側の外壁１６０６同士が、また、互いに対向する内壁１６０４と外壁１６０６同士が、また、互いに対向する内壁１６０４同士が絶縁基板７２により連結され、これら内壁１６０４、外壁１６０６が一体化され、可動部１０の剛性が高められている。
各フォーカシングコイル２０は、マグネット５２のフォーカシング方向Ｚにおいて隣接するＳ極とＮ極とに臨むように配置され、各トラッキングコイル３０はトラッキング方向Ｘにおいて隣接するＳ極とＮ極とに臨むように配置されている。
本実施例では、各マグネット５２の表面に対向するバックヨークが設けられておらず、マグネット５２、ヨークベース５０、ヨーク片５００２で形成される磁路がオープンとなっている。
【００２２】
次に光ピックアップ１０４の動作について説明する。
サーボ制御部１０９からフォーカシングコイル２０にフォーカシング用の駆動信号が供給されると、フォーカシングコイル２０に発生した磁界と各マグネット５２の磁界との磁気相互作用によって生じるフォーカシング方向Ｚの力がレンズホルダ１６に作用することによりレンズホルダ１６、すなわち可動部１０がフォーカシング方向に動かされる。
また、サーボ制御部１０９から各トラッキングコイル３０にトラッキング用の駆動信号が共通に供給されると、各トラッキングコイル３０に発生した磁界と各マグネット５２の磁界との磁気相互作用によってトラッキング方向Ｘの力がレンズホルダ１６に作用することにより可動部１０がトラッキング方向Ｘに動かされる。
また、サーボ制御部１０９からチルトコイル４０にチルト用の駆動信号が供給されると、チルトコイル４０に発生した磁界と各マグネット５２の磁界との磁気相互作用によって生じるチルト方向Ｔの力がプリントコイル７０を通してレンズホルダ１６に作用することにより可動部１０がチルト方向Ｔに傾動される。
なお、前記フォーカシング用の駆動信号がフォーカシングコイル２０に供給されていない状態では、レンズホルダ１６はサスペンションワイヤ１４の弾性によりフォーカシング方向の中立位置に保持され、また、前記トラッキング用の駆動信号がトラッキングコイル３０に供給されていない状態では、レンズホルダ１６はサスペンションワイヤ１４の弾性によりトラッキング方向Ｘの中立位置に保持され、前記チルト用の駆動信号がチルトコイル４０に供給されていない状態では、レンズホルダ１６はサスペンションワイヤ１４の弾性によりチルト方向Ｔの中立位置に保持される。
【００２３】
本実施例によれば、チルトコイル４０またはフォーカシングコイル２０のうち、一方のコイルを線材を巻回して構成したコイルとし、かつ、チルトコイル４０またはフォーカシングコイル２０のうち、他方のコイルとトラッキングコイル３０とをプリントコイル７０としてハイブリッド構造とし、レンズホルダ１６に取着して可動部１０を構成するようにした。
そのため、プリントコイル７０を２層で構成することができ、プリントコイル７０の軽量化、ひいては可動部１０の軽量化を図れる。
また、プリントコイル７０により、レンズホルダ１６の両側の外壁１６０６に取着した線材を巻回して構成したチルトコイル４０とレンズホルダ１６を連結することにより、可動部１０の剛性を高めることができる。
これにより、可動部１０の軽量化を図りながら固有共振周波数を高く設定でき、光ピックアップ１０４のサーボ帯域の広帯域化を実現する上で有利となる。
また、本実施例では、レンズホルダ１６のタンジェンシャル方向Ｙの両側にプリントコイル７０をそれぞれ取着したので、これら２枚のプリントコイル７０によってレンズホルダ１６の両側の外壁１６０６に取着した線材を巻回して構成したチルトコイル４０とレンズホルダ１６を連結できるため、可動部１０の剛性を高める上でより一層有利となる。
また、本実施例では、リブ１６１２を設けているので、チルトコイル４０やプリントコイル７０による可動部１０の剛性を高める効果と同様の作用により、可動部１０の剛性を高める上でより一層有利となる。
また、チルトコイル４０により内壁１６０４および外壁１６０６部分の剛性が高められレンズホルダ１６の剛性が確保されることから、内壁１６０４および外壁１６０６をそれぞれ薄肉で形成できるとともに、実施例のように開口１６２０，１６２２を設けることができ、レンズホルダ１６の軽量化、すなわち可動部１０の軽量化を達成でき、光ピックアップ１０４の応答性を高める上でより一層有利となる。
【００２４】
なお、実施例では、チルトコイル４０を４つ設けた場合について説明したが、チルトコイル４０は２つ以上であればよい。
また、実施例では、チルトコイル４０を導電性を有する線材を用いて構成した場合について説明したが、チルトコイル４０ではなく、フォーカシングコイル２０を導電材を用いて構成し、実施例のようにチルトコイル４０と同様に配置してもよい。
【図面の簡単な説明】
【００２５】
【図１】本発明の実施例１における光ピックアップを組み込んだ光ディスク装置の構成を示すブロック図である。
【図２】実施例１における光ピックアップ１０４の構成を示す斜視図である。
【図３】光ピックアップ１０４の構成を示す分解斜視図である。
【図４】光ピックアップ１０４の平面図である。
【図５】図４のＡ矢視図である。
【図６】図４のＢ矢視図である。
【図７】図４のＣ矢視図である。
【図８】可動部および固定部の斜視図である。
【図９】可動部の斜視図である。
【図１０】可動部の斜視図である。
【図１１】レンズホルダの説明図である。
【図１２】レンズホルダの斜視図である。
【図１３】レンズホルダとチルトコイルの分解斜視図である。
【図１４】レンズホルダにチルトコイルを取着した状態を示す組み立て図である。
【符号の説明】
【００２６】
７……対物レンズ、１０……可動部、１２……固定部、１４……サスペンションワイヤ、１６……レンズホルダ、１６０６……外壁、２０……フォーカシングコイル、３０……トラッキングコイル、４０……チルトコイル、７０……プリントコイル、１０１……光ディスク装置、１０２……光ディスク、１０４……光ピックアップ。
【図１】
2005346863.tif 000003
【図２】
2005346863.tif 000004
【図３】
2005346863.tif 000005
【図４】
2005346863.tif 000006
【図５】
2005346863.tif 000007
【図６】
2005346863.tif 000008
【図７】
2005346863.tif 000009
【図８】
2005346863.tif 000010
【図９】
2005346863.tif 000011
【図１０】
2005346863.tif 000012
【図１１】
2005346863.tif 000013
【図１２】
2005346863.tif 000014
【図１３】
2005346863.tif 000015
【図１４】
2005346863.tif 000016